(57)【要約】【課題】第１容器内の液体を第２容器に移送する液体移送具であって、第２容器の容量によらず第２容器の口部から一定の深さまで移送する液体移送具を提供すること。【解決手段】液体移送具１は、一端が第１容器の口部２０ａに取り付けられ、他端が第２容器の口部１０ａに取り付けられ、開口２ｂ０が形成された隔壁２ｂを内部に有する管状部材２、及び、浮体４ｄと、管状部材内で隔壁の下方に配される弁体４ａと、浮体及び弁体を接続して管状部材内に軸方向に移動可能に設けられる軸体４ｂと、を有し、液体１１より小さい比重を有する弁部材４を備える。管状部材の他端から第２容器内に突出する浮体が、第１容器２０から第２容器に移送される液体により浮上し、浮体に軸体を介して接続する弁体が上方に移動して隔壁の開口を塞ぐ。それにより、第２容器の容量によらず、弁体が隔壁の開口を塞ぐ浮体の高さまで液体を第２容器に移送することができる。【選択図】図１
0003207198.tif 000002
【実用新案登録請求の範囲】
【請求項１】
第１容器内の液体を第２容器に移送する液体移送具であって、
一端が前記第１容器の口部に取り付けられ、他端が前記第２容器の口部に取り付けられ、開口が形成された隔壁を内部に有する管状部材と、
前記管状部材の前記他端から突出する浮体と、前記管状部材内で前記開口の下方に配され上方に移動すると前記開口を塞ぐ弁体と、前記浮体及び前記弁体を接続して前記管状部材内に軸方向に移動可能に設けられる軸体と、を有し、前記液体より小さい比重を有する弁部材と、
を備えることを特徴とする、液体移送具。
【請求項２】
前記管状部材の前記第２容器への挿入量を調節する挿入量調節手段をさらに備えることを特徴とする、請求項１に記載の液体移送具。
【請求項３】
前記管状部材の前記他端が挿通する貫通孔が形成された板部材をさらに備え、
前記挿入量調節手段は、前記管状部材の外面に形成された雄ねじと、該雄ねじが螺合する前記貫通孔の内面に形成された雌ねじと、を有することを特徴とする、請求項２に記載の液体移送具。
【請求項４】
前記弁体により前記管状部材の内部を塞いだ状態で、前記弁部材を前記管状部材に固定する弁体固定手段をさらに備えることを特徴とする、請求項１から３のいずれか１項に記載の液体移送具。
【請求項５】
前記弁体固定手段は、前記弁体及び前記管状部材内にそれぞれ設けられて互いに磁着する２つの磁石を有することを特徴とする、請求項４に記載の液体移送具。
【請求項６】
前記浮体は、前記管状部材の前記他端の内径より大きい外径を有することを特徴とする、請求項１から５のいずれか一項に記載の液体移送具。
【考案の詳細な説明】
【技術分野】
【０００１】
本考案は、第１容器内の液体を第２容器に移送する液体移送具に関する。
【背景技術】
【０００２】
飲料、液体の調味料など、大きな容器に入った液体を小さな容器に移送することがある。漏斗等を小さな容器に付し、そこに向けて大きな容器から液体を注入することによって移送されることが多いが、その場合、小さな容器の容積を超える液体が大きな容器から注出されないように（こぼれてしまわないように）留意する、例えば小さな容器内の液面を監視する、ことが必要となる。
【０００３】
特別な留意をせずとも小さな容器の容量を超えないものとしては、一定量の液体を移送する機構が数多く知られている。大きな容器に一定量の液体を収納する部分を設け、その部分の液体を移送するものである。例えば、特許文献１には、無動力で、飲料を供給する簡易な液体供給機構が開示されている。小さな容器の容量が当該一定量よりも少しだけ多いのであれば、この機構で十分に用を足す。
【０００４】
しかし、かかる機構は、小さな容器として様々な容量のものがある場合には、全ての小さな容器にその容量に対していっぱいに、或いは８割乃至９割程度の適量の液体を移送することはできない。
【先行技術文献】
【特許文献】
【０００５】
【特許文献１】実用新案登録第３１７６７５４号公報
【考案の概要】
【考案が解決しようとする課題】
【０００６】
本考案は、第１容器内の液体を第２容器に移送する液体移送具であって、第２容器の容量によらず第２容器の口部から一定の深さまで移送する液体移送具を提供することを課題とする。
【課題を解決するための手段】
【０００７】
本考案の液体移送具は、
第１容器内の液体を第２容器に移送する液体移送具であって、
一端が前記第１容器の口部に取り付けられ、他端が前記第２容器の口部に取り付けられ、開口が形成された隔壁を内部に有する管状部材と、
前記管状部材の前記他端から突出する浮体と、前記管状部材内で前記開口の下方に配され上方に移動すると前記開口を塞ぐ弁体と、前記浮体及び前記弁体を接続して前記管状部材内に軸方向に移動可能に設けられる軸体と、を有し、前記液体より小さい比重を有する弁部材と、
を備えることを特徴とする。
【０００８】
この特徴によれば、管状部材内に軸方向に移動可能に設けられる軸体を有する弁部材が液体より小さい比重を有することで、管状部材の一端及び他端をそれぞれ第１及び第２容器の口部に取り付けた際に、管状部材の他端から第２容器内に突出する浮体が、管状部材を介して第１容器から第２容器に移送された液体により浮上し、浮体に軸体を介して接続する弁体が上方に移動して隔壁の開口を塞ぐ。それにより、第２容器の容量によらず、弁体が隔壁の開口を塞ぐ浮体の高さまで、第２容器に液体を移送することができる。
【０００９】
本考案の液体移送具は、
前記管状部材の前記第２容器への挿入量を調節する挿入量調節手段をさらに備えることを特徴とする。
【００１０】
この特徴によれば、挿入量調節手段により管状部材の第２容器への挿入量を調節することで、第２容器内で浮体が浮上する高さが調節され、第２容器に移送する液体の量を調節することができる。
【００１１】
本考案の液体移送具は、
前記管状部材の前記他端が挿通する貫通孔が形成された板部材をさらに備え、
前記挿入量調節手段は、前記管状部材の外面に形成された雄ねじと、該雄ねじが螺合する前記貫通孔の内面に形成された雌ねじと、を有することを特徴とする。
【００１２】
この特徴によれば、管状部材の他端を第２容器の口部に挿入し、管状部材の外面に形成された雄ねじを板部材の貫通孔の内面に形成された雌ねじに螺合することで、管状部材の板部材から突出する長さをねじの回転によって調節することができる。板部材を第２容器の口部に当接させることとすれば、管状部材の第２容器への挿入量を調節することができることとなる。
【００１３】
本考案の液体移送具は、
前記弁体により前記管状部材の内部を塞いだ状態で、前記弁部材を前記管状部材に固定する弁体固定手段をさらに備えることを特徴とする。
【００１４】
この特徴によれば、第２容器に移送された液体により浮体が浮上し、弁体が上方に移動して隔壁の開口を塞いだ際、その状態で弁体固定手段により弁部材を管状部材に固定することができる。すなわち、浮体が、第２容器内の液体から離脱しても下方に移動して隔壁の開口が開くことなく塞がれた状態を保つ。
【００１５】
本考案の液体移送具は、
前記弁体固定手段は、前記弁体及び前記管状部材内にそれぞれ設けられて互いに磁着する２つの磁石を有することを特徴とする。
【００１６】
この特徴によれば、第２容器に移送された液体により浮体が浮上し、弁体が上方に移動して隔壁の開口を塞いだ際に、弁体及び管状部材内にそれぞれ設けられた２つの磁石が互いに磁着することで、弁部材を管状部材に固定することができる。
【考案の効果】
【００１７】
本考案の液体移送具によれば、第１容器内の液体を第２容器に、その容量によらずその口部から一定の深さまで移送することが可能となる。
【図面の簡単な説明】
【００１８】
【図１】図１は、液体移送具の断面構成を示す図である。
【図２】図２は、図１における基準線Ｉ−Ｉに関する断面図である。
【図３】図３は、液体の移送状態を示す断面図である。
【図４】図４は、液体移送の手順を示す図である。
【考案を実施するための形態】
【００１９】
以下、本考案の一実施形態について説明する。
【００２０】
図１に、本実施形態に係る液体移送具１の断面構成を示す。液体移送具１は、第１容器２０内の液体１１を第２容器１０に移送する道具であり、管状部材２、板部材３、及び弁部材４を含んで構成される。なお、液体は飲料、液体の調味料など、任意の液体でよく、第２容器１０は任意の容量を有する容器であってよい。
【００２１】
管状部材２は、一端が第１容器２０の口部２０ａに取り付けられ、他端が第２容器１０の口部１０ａに取り付けられ、第１容器２０内の液体を流路内に流して、一端から他端に移送する管状の部材である。管状部材２は、本実施形態では略Ｕ字状を有し、第２容器１０に取り付けられる他端側において、開口２ａ０が形成された隔壁２ａを端部に、開口２ｂ０が形成された隔壁２ｂを内部に、後述する板部材３の雌ねじに螺号する雄ねじ２ｃを外面に有する。なお、隔壁２ａ，２ｂの底にそれぞれ開口２ａ０，２ｂ０に繋がるテーパ面が形成されている。換言すると、隔壁２ａ，２ｂの開口２ａ０，２ｂ０は下方に拡がって形成されている。また、隔壁２ａ，２ｂの開口２ａ０，２ｂ０の周囲、ここではテーパ面上に、それぞれ弁体固定手段を構成する磁石２ａ１，２ｂ１が設けられている。
【００２２】
なお、管状部材２は、略Ｕ字状に限らず、任意の形状に成形してもよく、例えば第２容器１０を動かすことなく第１容器２０を持ち上げることができるよう少なくとも一部をフレキシブルに成形してもよい。複数部分に分解可能に構成してもよい。また、第１容器２０に取り付けられる管状部材２の一端の取り付け構造として、任意の構造を採用することができる。例えば、第１容器２０の口部２０ａに嵌まる蓋部材を一端に取り付けてもよい。
【００２３】
板部材３は、第２容器１０の口部１０ａに当接して、管状部材２の他端を第２容器１０内に挿入する円板状の部材である。板部材３は、管状部材２の他端が挿通する円形状の貫通孔３ａを中央に有し、その内面には管状部材２の雄ねじ２ｃが螺号する雌ねじが形成されている。
【００２４】
なお、管状部材２の外面に形成された雄ねじ２ｃと、雄ねじ２ｃが螺合する板部材３の貫通孔３ａの内面に形成された雌ねじと、より挿入量調節手段が構成される。これにより、管状部材２の他端を第２容器１０の口部１０ａに挿入し、管状部材２の外面に形成された雄ねじ２ｃを板部材３の貫通孔３ａの内面に形成された雌ねじに螺合することで、管状部材２の板部材３から突出する長さをねじの回転によって調節することができる。板部材３を第２容器１０の口部に当接させることとすれば、管状部材２の第２容器１０への挿入量を調節すること、そして第２容器１０に移送する液体１１の量を調節することができる。すなわち、雄ねじ２ｃ、雌ねじ及び板部材３によって、管状部材２の第２容器１０への挿入量を調節する挿入量調節手段が構成される。
【００２５】
なお、挿入量調節手段としては、雄ねじと雌ねじとを用いるに限らず、任意の構成を採用してよい。例えば、回転により挿入量を可変とするねじに替えて、管状部材２の管状部材２の外面から突出する突片と、板部材３に設けられてその突片を係止する凹部を採用してもよい。ここで、突片を環状の凸条とし、凹部を弾性体（例えばゴム）に設けられた溝とすることができる。また、管状部材に縦方向に複数の孔を設け、板部材にバネの力でその穴に貫入される棒状体を設けてもよい。挿入量調節手段は、各種の構成で実装することができる。
【００２６】
弁部材４は、第２容器１０内の液体１１が口部１０ａから一定の深さに達することで液体１１の移送を止める部材であり、弁体４ａ、軸体４ｂ、リング４ｃ、及び浮体４ｄを有する。
【００２７】
弁体４ａは、円錐状の頭部とこの底面に接続する円筒形状の胴部とを有する。弁体４ａは、管状部材２内で隔壁２ｂの下方に配され、頭部を隔壁２ｂの開口２ｂ０に入れることで、管状部材２の流路を塞ぐ。なお、頭部には、弁体固定手段を構成する磁石４ａ１が、隔壁２ｂに設けられた磁石２ｂ１に対して異なる磁極を向けて設けられている。
【００２８】
軸体４ｂは、弁体４ａを浮体４ｄに接続する棒状部材である。軸体４ｂは、管状部材２内に軸方向（すなわち、図面上下方向）に移動可能に配される。
【００２９】
リング４ｃは、軸体４ｂを管状部材２の中心に位置決めするための部材である。図２に軸体４ｂ及びリング４ｃを含む図１における基準線Ｉ−Ｉに関する断面図を示す。リング４ｃは、管状部材２の内径より若干小さい外形を有する輪状部材であり、図面左右方向に延びる支持部材により軸体４ｂに支持されている。リング４ｃは、輪状部材と支持部材との間に空間部を形成し、管状部材２内で２つの隔壁２ａ，２ｂ間に軸方向に移動可能に配される。
【００３０】
浮体４ｄは、液体１１から受ける浮力により、弁部材４を管状部材２内で軸方向に上下動する部材である。浮体４ｄは、側面視において五角形の枠状体であり、その頂部を軸体４ｂの基端に接続する。浮体４ｄは、管状部材２の他端の内径、すなわち隔壁２ａの開口２ａ０の内径より大きい外径を有する。浮体４ｄは、第２容器１０内に挿入可能に管状部材２の他端から突出し、第２容器１０に移送された液体１１により浮体４ｄが浮上することで、頂部を隔壁２ａの開口２ａ０に入れて管状部材２の流路を塞ぐ。なお、浮体４ｄの頂部には、弁体固定手段を構成する磁石４ｄ１が、隔壁２ａに設けられた磁石２ａ１に対して異なる磁極を向けて設けられている。
【００３１】
弁部材４は、浮体４ｄを含む全体として、液体１１より小さい比重を有する素材、例えばプラスチック材等から構成される。それにより、第２容器１０内の液体１１上に浮いて、液体１１の高さに応じて管状部材２内を上下動することができる。
【００３２】
なお、隔壁２ｂに設けられた磁石２ｂ１と弁体４ａに設けられた磁石４ａ１とより、弁体４ａにより管状部材２の内部を塞いだ状態で、弁部材４の管状部材２に固定する弁体固定手段が構成される。図３に液体の移送状態を示すが、細矢印が液体の流路である。ここで、管状部材２内の隔壁２ｂの開口２ｂ０、リング４ｃの空間部、隔壁２ａの開口２ａ０を介して第１容器２０内の液体１１を第２容器１０に移送すると、第２容器１０内に移送された液体１１により浮体４ｄが浮上し、太矢印を用いて示すように、弁体４ａが上方に移動して図１に示すように隔壁２ｂの開口２ｂ０を塞ぐ。この際、弁体４ａ及び管状部材２の隔壁２ｂにそれぞれ設けられた２つの磁石４ａ１，２ｂ１が互いに磁着して、開口２ｂ０が塞がれた状態で弁部材４を管状部材２に固定する。
【００３３】
また、隔壁２ａに設けられた磁石２ａ１と浮体４ｄに設けられた磁石４ｄ１とより、別の弁体固定手段が構成される。
【００３４】
なお、弁体固定手段は、弁体４ａにより管状部材２の内部を塞いだ状態で、弁部材４を管状部材２に固定することができれば、任意の構成を採用してよい。磁石２ｂ１と磁石４ａ１の組及び磁石２ａ１と磁石４ｄ１の組のいずれか一方のみでもよい。磁石を用いない構成として、例えば、管状部材２に孔部を設け、これに突片を通して弁体４ａを係止する構成を採用してもよい。また、管状部材２の外周を把持して固定してもよい。
【００３５】
以下、実際に液体を移送する際の動作を説明する。図４に、液体移送の手順を示す。なお、図は、液体移送具の効果を示すものであり、液体移送具１の構造の詳細を省略してある。また、弁体固定手段については磁石２ｂ１と磁石４ａ１の組のみを説明するが、磁石２ａ１と磁石４ｄ１の組についても同様である。
【００３６】
まず、図４（Ａ）に示すように、板部材３を第２容器の口部１０ａに載置し、挿入量調節手段を用いて管状部材２の第2容器への挿入量ｄを調節する。
【００３７】
ここで、弁部材４の長さ（開口２ｂ０を綴じた状態における開口２ｂ０から浮体４ｄまでの距離）をｌ、管状部材２の先端から開口２ｂ０までの高さをｈとすると、液体の移送は、第２容器の口部１０ａから（ｄ＋ｌ−ｈ）だけ下方まで液体が移送されることで停止する。ｄ≧０であるので、ｈ及びｌを設計で定め、最大移送量を調節することができる。また、ユーザは、自己の希望に対応してｄを定めることができる。例えば、ｈ＝ｌとすると、ｄ＝０とすれば第２容器１０にいっぱいの液体が移送され、ユーザがｄ＞０とすることで移送量を調節することができる。
【００３８】
液体が移送される前には、弁部材４は、液体１１からの浮力を受けていないが、リング４ｃが隔壁２ａに係止されることで、図４（Ａ）に示す位置に停止する。
【００３９】
その後、液体１１が移送されると、弁部材４は、液体１１からの浮力を受け、図４（Ｂ）に示すように、上方に向けて移動する。
【００４０】
弁体４ａが開口２ｂ０を塞ぐと、図４（Ｃ）に示すように、液体の位相が停止される。
【００４１】
その後、液体移送具１を第２容器１０から離脱させるために、第１容器２０及び液体移送具１を上方に移動させる。この際、弁体固定手段により、弁部材４も液体移送具１（管状部材２）とともに上方に移動する。液体が液体移送具１から下方に漏れることなく、第１容器２０及び液体移送具１を上方に移動させることができる。（弁体固定手段がない場合には、弁部材４が上方に移動せず、開口２ｂ０が再び開いてしまい、液体１１が再び移送されて漏れてしまう。）
【００４２】
以上詳細に説明したように、本実施形態に係る液体移送具１は、一端が第１容器２０の口部２０ａに取り付けられ、他端が第２容器１０の口部１０ａに取り付けられ、開口２ａ０，２ｂ０が形成された隔壁２ａ，２ｂを内部に有する管状部材２、及び管状部材２の他端から突出する浮体４ｄと、管状部材２内で隔壁２ｂの下方に配される弁体４ａと、浮体４ｄ及び弁体４ａを接続して管状部材２内に軸方向に移動可能に設けられる軸体４ｂと、を有し、液体１１より小さい比重を有する弁部材４を備える。管状部材２内に軸方向に移動可能に設けられる軸体４ｂを有する弁部材４が液体１１より小さい比重を有することで、管状部材２の一端及び他端をそれぞれ第１及び第２容器２０，１０の口部２０ａ，１０ａに取り付けた際に、管状部材２の他端から第２容器１０内に突出する浮体４ｄが、管状部材２を介して第１容器２０から第２容器１０に移送された液体１１により浮上し、浮体４ｄに軸体４ｂを介して接続する弁体４ａが上方に移動して隔壁２ａ，２ｂの開口２ａ１，２ｂ１を塞ぐ。それにより、第２容器１０の容量によらず、弁体４ａが隔壁２ａ，２ｂの開口２ａ１，２ｂ１を塞ぐ浮体４ｄの高さまで液体１１を第２容器２０に移送することができる。
【産業上の利用可能性】
【００４３】
第１容器内の液体を第２容器に移送する液体移送具であって、第２容器の容量によらず第２容器の口部から一定の深さまで移送する液体移送具である。多くの個人（特に飲料や液体調味料を扱う主婦）、あるいは飲食店における利用が考えられる。
【符号の説明】
【００４４】
１      液体移送具
２      管状部材
２ａ    隔壁
２ａ０   開口
２ａ１   磁石
２ｂ    隔壁
２ｂ０   開口
２ｂ１   磁石
２ｃ    雄ねじ
３      板部材
３ａ    貫通孔
４      弁部材
４ａ    弁体
４ａ１   磁石
４ｂ    軸体
４ｃ    リング
４ｄ    浮体
４ｄ１   磁石
１０    第２容器
１０ａ  口部
１１    液体
２０    第１容器
２０ａ  口部
【図１】
0003207198.tif 000003
【図２】
0003207198.tif 000004
【図３】
0003207198.tif 000005
【図４】
0003207198.tif 000006